(57)【要約】【課題】別途の構成を追加することなく画像形成処理装置に対する制御の指示を可能にする後処理装置を提供する。【解決手段】画像形成装置が排出する媒体に対し後処理を行う後処理装置であって、前記媒体を載置するトレイの操作に用いられる複数のスイッチと、前記スイッチへの操作の態様に応じて、前記トレイの動作を制御する制御モードである通常制御モードと、前記通常制御モードとは異なる制御モードである特定制御モードと、を含む制御をする制御部と、を有し、前記制御部は、前記スイッチへの操作の態様が前記トレイへの操作である通常操作とは異なる特定操作のとき、前記制御モードを前記特定制御モードに切り替えて、前記スイッチへの操作に基づく特定動作を前記画像形成装置に要求する、後処理装置による。【選択図】図２
2022001420.tif 000002
【特許請求の範囲】
【請求項１】
画像形成装置が排出する媒体に対し後処理を行う後処理装置であって、
前記媒体を載置するトレイの操作に用いられる複数のスイッチと、
前記スイッチへの操作の態様に応じて、前記トレイの動作を制御する制御モードである通常制御モードと、前記通常制御モードとは異なる制御モードである特定制御モードと、を含む制御をする制御部と、
を有し、
前記制御部は、前記スイッチへの操作の態様が前記トレイへの操作である通常操作とは異なる特定操作のとき、前記制御モードを前記特定制御モードに切り替えて、前記スイッチへの操作に基づく特定動作を前記画像形成装置に要求する、
ことを特徴とする後処理装置。
【請求項２】
前記制御部は、前記制御モードが前記通常制御モードであるときの前記スイッチへの操作の態様が、前記スイッチの全てを同時期に所定の連続時間において押下する操作である場合、前記制御モードを前記特定制御モードに切り替える、
請求項１に記載の後処理装置。
【請求項３】
前記制御部は、前記制御モードが前記特定制御モードであるときの前記スイッチへの操作の態様が、前記スイッチの全てを同時期に所定の連続時間において押下する操作である場合、前記制御モードを前記通常制御モードに切り替える、
請求項１又は２に記載の後処理装置。
【請求項４】
前記画像形成装置に要求する前記特定動作は、直前に排出された媒体への画像形成処理と同じ画像形成処理を再度繰り返す動作である、
請求項１乃至３のいずれか一項に記載の後処理装置。
【請求項５】
前記画像形成装置に要求する前記特定動作は、直前に排出された媒体に対する画像形成処理と同じ画像形成処理を再度繰り返す動作であり、
前記制御部は、前記特定動作の要求後に検出した前記スイッチに対する操作回数に基づいて前記画像形成処理の回数を指定する、
請求項１乃至３のいずれか一項に記載の後処理装置。
【請求項６】
前記スイッチは、操作に対する応答をユーザに報知する報知手段を備え、
前記制御部は、前記特定操作を検知したときに前記特定制御モードへの切り替えが不能状態であれば、動作モードの切り替えが不能であることを前記ユーザに報知する情報を前記報知手段に対して出力する、
請求項１乃至５のいずれか一項に記載の後処理装置。
【請求項７】
前記スイッチは、操作に対する応答をユーザに報知する報知手段を備え、
前記制御部は、前記特定操作を検知したときに前記特定制御モードへの切り替えが完了したときは、前記制御モードが特定制御モードへ切り替えられていることを前記ユーザに報知する情報を前記報知手段に対して出力する、
請求項１乃至５のいずれか一項に記載の後処理装置。
【請求項８】
媒体に画像を形成して排出する画像形成装置と、
前記画像形成装置から排出された媒体に後処理を行う請求項１乃至７のいずれか一項に記載の後処理装置と、
を相互に通信可能に連結して構成されることを特徴とする画像形成システム。
【発明の詳細な説明】
【技術分野】
【０００１】
本発明は、後処理装置及び画像形成システムに関する。
【背景技術】
【０００２】
媒体に画像を形成する画像形成装置と、画像が形成された媒体に対して所定の後処理を行う後処理装置と、を連結して構成する画像形成システムが知られている。画像形成システムでは、画像形成装置と後処理装置との間で相互に情報通信を可能に連結し、それぞれの装置の状況に応じた動作制御が行われる。
【０００３】
後処理装置で実行される後処理に基づき適切に画像形成装置への媒体の供給を促すことを目的として、後処理装置に備えられたタッチパネル等の操作部を操作して、画像形成装置に媒体の供給を促す制御をする技術が開示されている（特許文献１を参照）。
【発明の概要】
【発明が解決しようとする課題】
【０００４】
特許文献１に記載されているような従来技術では、画像形成装置に対する媒体の供給を促す制御を行うために、後処理装置に操作部を設ける必要があり、コストの増加につながるという課題がある。
【０００５】
本発明は、後処理装置に別途の構成を追加することなく画像形成処理装置に対する制御の指示を可能にする機能を備える後処理装置を提供することを目的とする。
【課題を解決するための手段】
【０００６】
上記技術的課題を解決するため、本発明の一態様は、画像形成装置が排出する媒体に対し後処理を行う後処理装置であって、前記媒体を載置するトレイの操作に用いられる複数のスイッチと、前記スイッチへの操作の態様に応じて、前記トレイの動作を制御する制御モードである通常制御モードと、前記通常制御モードとは異なる制御モードである特定制御モードと、を含む制御をする制御部と、を有し、前記制御部は、前記スイッチへの操作の態様が前記トレイへの操作である通常操作とは異なる特定操作のとき、前記制御モードを前記特定制御モードに切り替えて、前記スイッチへの操作に基づく特定動作を前記画像形成装置に要求する、ことを特徴とする。
【発明の効果】
【０００７】
本発明によれば、後処理装置に別途の構成を追加することなく画像形成処理装置に対する制御の指示を可能にする。
【図面の簡単な説明】
【０００８】
【図１】本発明に係る画像形成システムの概略的な構成を示す図。
【図２】本発明に係る後処理装置の概略的な構成を示す図。
【図３】上記画像形成システムが備える制御ブロックのハードウェア構成図。
【図４】上記画像形成システムに含まれる画像形成装置の機能ブロック図。
【図５】上記後処理装置の機能ブロック図。
【図６】上記後処理装置における操作スイッチの点灯制御の制御パターンの例を示す図。
【図７】上記後処理装置において実行される操作スイッチの点灯制御の制御パターンの別例を示す図。
【図８】上記後処理装置において実行される再印刷処理の流れの例を示すフローチャート。
【発明を実施するための形態】
【０００９】
以下、本発明に係る後処理装置及び画像形成システムの実施形態について、図面を参照しながら説明する。図１は、本実施形態に係る画像形成システム１の全体像を例示する構成図である。画像形成システム１は、画像形成装置１００と、後処理装置としてのシート処理装置２００と、を相互に通信可能に連結して構成されている。なお、画像形成システム１において、画像形成装置１００に対して複数第のシート処理装置２００を連結させて各々のシート処理装置２００において異なる後処理を実行させるように構成してもよい。その場合、画像形成装置１００と個々のシート処理装置２００が相互に情報通信を可能に連結されればよいし、画像形成装置１００及びシート処理装置２００が互いに情報通信を可能に連結されてもよい。以下の実施形態では、図１に例示するように、一台の画像形成装置１００と一台のシート処理装置２００が連結された画像形成システム１を例示している。
【００１０】
［画像形成装置１００の構成］
画像形成装置１００は、画像形成制御部１１０と、ＡＤＦ（Ａｕｔｏ  Ｄｏｃｕｍｅｎｔ  Ｆｅｅｄｅｒ：原稿自動搬送装置）１０１と、シート状の媒体としてのシートＰを供給する給シートユニット１０５と、を備え、画像形成装置１００の排出口に、シート処理装置２００の搬入口が連結されている。
【００１１】
また、画像形成装置１００は、さらに画像読取部１０２と、光書込部１０３と、作像部１０４と、定着部１０６と、操作パネル１０９とを備えている。操作パネル１０９は、ユーザによる操作に対する応答状況を表示するなどにより報知する報知手段を構成する。
【００１２】
ユーザが操作パネル１０９に設けられている「スタートキー」を押下すると、画像形成処理としての印刷処理が開始される。例えば、ＡＤＦ１０１に載置された原稿を複写するための印刷処理であれば、まず、ＡＤＦ１０１に載置された原稿を画像読取部１０２が備えるＣＣＤなどの光学読取センサによって光学的に読み取り、光電変換をした信号が画像形成制御部１１０に出力される。読み取られた信号は画像形成制御部１１０が備える画像処理機能において画像処理が行われて、画像形成制御部１１０が備える画像記憶機能において記憶される。そして、記憶された信号が読み出されて光書込部１０３で光変調されたレーザーをポリゴンミラーによって作像部１０４の感光体ドラムに書き込んで潜像を形成する。
【００１３】
そして、現像装置によって潜像をトナー現像し、給シートユニット１０５よりシートＰが供給されて、搬送路１０７を経由して搬送されて、トナー像が転写されて定着部１０６において定着される。以上のような印刷処理によりシートＰに画像が形成される。
【００１４】
［シート処理装置２００の構成］
画像形成装置１００により画像が形成されたシートＰはシート処理装置２００に搬入されて、操作パネル１０９で設定された内容の後処理が実施される。操作パネル１０９で設定された内容は、画像形成装置１００とシート処理装置２００とを通信可能に接続する通信ケーブルを通じてシート処理装置２００の後処理制御部２１０に伝達される。後処理制御部２１０は、搬入されたシートＰに対して、画像形成装置１００から伝達された内容に応じた後処理を実施する。シート処理装置２００では、所定の後処理を実施した後、排出トレイとしての第一トレイ２０１又は第二トレイ２０２にシートＰを排出する。
【００１５】
また、シート処理装置２００は、画像形成装置１００に対し特定動作を要求するための情報を、通信ケーブルを通じて伝達する。ここで、「特定動作を要求するための情報」とは、シート処理装置２００の内部におけるシートＰの搬送状態を示す情報やシート処理装置２００の各機能構成の動作状態を示す情報も含む。また、「特定動作を要求するための情報」には、シートＰの搬送の抑制の要求や解除のための制御情報や、シートＰの再印刷指示及びその数量の指示（再印刷量指示）などの制御情報も含まれる。なお、画像形成制御部１１０は、シート処理装置２００からの特定動作を要求するための情報に応じて画像形成装置１００における印刷処理等を制御する機能も備える。
【００１６】
シート処理装置２００は、画像形成装置１００から排紙されたシートＰに対して、画像形成装置１００から伝達された処理の内容に応じた後処理を実施する。例えば、シートＰを所定の枚数毎に仕分ける「仕分け処理」を実施する。仕分け処理は、第一搬送経路Ａと第二搬送経路Ｂを通過させたシートＰを第一トレイ２０１に排出させるときに、所定の枚数毎の切れ目において手前側又は奥側に第一トレイ２０１を移動させることで部ごとにシートＰの載置位置を変更させる処理である。なお、仕分け処理は、第一搬送経路Ａと第三搬送経路Ｃと通過させて第二トレイ２０２にシートＰを排出させるときも同様に行うことができる。
【００１７】
また、シート処理装置２００は、シートＰを所定の枚数毎に綴じる「綴じ処理」を実施する。綴じ処理は、第一搬送経路Ａ、（第五搬送経路Ｅ）、第四搬送経路Ｄを通過させた所定の枚数のシートＰを束ねて、ステイプラ２０３によって端部を綴じる処理である。綴じられたシート束は、第六搬送経路Ｆを通過して第二トレイ２０２に排出される。
【００１８】
［シート処理装置２００に対する操作］
図２は、シート処理装置２００の外観側面図の例である。図２に示すようにシート処理装置２００には、複数のスイッチとしてのトレイ操作スイッチ２２０が備わっている。トレイ操作スイッチ２２０は、第一トレイ２０１の近傍に配置される第一スイッチＳＷ１及び第二スイッチＳＷ２、第二トレイ２０２の近傍に配置される第三スイッチＳＷ３によって構成される。
【００１９】
例えば、第一スイッチＳＷ１と第二スイッチＳＷ２は、第一トレイ２０１の動作を操作するためのスイッチである。また、第一スイッチＳＷ１及び第二スイッチＳＷ２は第一トレイ２０１へのシートＰの排出動作を制御するための指示を行う機能を備えたスイッチである。第一スイッチＳＷ１及び第二スイッチＳＷ２の押下操作により、第一トレイ２０１へのシートＰの搬送の中断、搬送の抑制の要求及び抑制の解除、又はトレイ昇降動作の指示を行うことができる。
【００２０】
また、第三スイッチＳＷ３は、第二トレイ２０２の動作を操作するためのスイッチである。また、第三スイッチＳＷ３は、第二トレイ２０２へのシートＰの排出動作を制御するための指示を行う機能を備えたスイッチである。第三スイッチＳＷ３の押下操作により、第二トレイ２０２へのシートＰの搬送の中断、搬送の抑制の要求及び抑制の解除、又はトレイ昇降動作の指示を行うことができる。したがって、トレイ操作スイッチ２２０は、シート処理装置２００に対する動作指示部を構成する。また、トレイ操作スイッチ２２０の押下操作による動作指示に関する情報は、画像形成装置１００の画像形成制御部１１０にも伝達される。
【００２１】
シート処理装置２００は、複数の動作モードを備える。例えば、画像形成装置１００から排出されて受け入れたシートＰに対して、画像形成装置１００において指定された所定の後処理の内容に応じて後処理を実施する通常制御モードを備える。また、詳細は後述するが、トレイ操作スイッチ２２０の操作により、画像形成装置１００に対して画像形成処理に関連する指示を行う特定制御モードとしての画像形成指示モードである。
【００２２】
［通常制御モード］
ここで、トレイ操作スイッチ２２０への操作の態様に応じて後処理制御部２１０が切り替える制御モードのうち、通常制御モードについて説明する。通常制御モードにある画像形成システム１が正常に動作しているときに、トレイ操作スイッチ２２０に対する通常操作が行われたときの通常動作について説明する。画像形成システム１が動作中であり、画像形成装置１００から第二トレイ２０２へのシートＰの搬送が実施中のときに第三スイッチＳＷ３が押下されると、第二トレイ２０２へのシートＰの搬送を中断するように、後処理制御部２１０から画像形成制御部１１０に対して、搬送中断要求が送信される。
【００２３】
画像形成制御部１１０は、搬送中断要求を受けて、連結されているシート処理装置２００の後処理制御部２１０に対してシートＰの搬送の中断を指示する搬送中断指示を送信する。なお、画像形成システム１においてシート処理装置２００は複数含まれていてもよいので、画像形成制御部１１０から搬送中断指示が送信されるとすべてのシート処理装置２００に対して、シートＰの搬送を中断する指示が送信される。これによって、画像形成システム１の全体において、シートＰの搬送が中断される。
【００２４】
第二トレイ２０２への搬送中断中に、第三スイッチＳＷ３に対する押下操作が行われると、後処理制御部２１０から画像形成制御部１１０に対して、搬送中断の解除を要求する解除要求信号が送信される。画像形成制御部１１０は、解除要求信号を受けて、連結されているシート処理装置２００の後処理制御部２１０に対してシートＰの搬送を再開する指示を送信する。これによって、画像形成システム１の全体において、シートＰの搬送が再開される。
【００２５】
なお、画像形成システム１が動作中であり、画像形成装置１００からシート処理装置２００の第一トレイ２０１へシートＰの搬送が実施中のときに、第一スイッチＳＷ１が押下された場合は、上記と同様に、第一トレイ２０１への搬送中断を要求する搬送中断要求が送信される。搬送中断中に第一スイッチＳＷ１が押下される、第一トレイ２０１への搬送が再開される。
【００２６】
トレイ操作スイッチ２２０を構成する第一スイッチＳＷ１、第二スイッチＳＷ２及び第三スイッチＳＷ３のいずれも、個別に、報知手段としてのＬＥＤ２０４を備えている。各スイッチへの押下操作に応じてシート処理装置２００や画像形成装置１００に対して特定の動作の指示をしているときには、指示の内容及び動作の状態に応じて、各ＬＥＤ２０４は独立して点灯又は点滅をするように制御される。なお、ＬＥＤ２０４の点灯制御は、所定の操作が行われたことを契機として駆動電圧が継続的に印加され続ける制御をいう。また、ＬＥＤ２０４の点滅制御は、所定の操作が行われたことを契機として駆動電圧が歯所定の時間間隔をもって断続的に印加される制御をいう。したがって、トレイ操作スイッチ２２０へのスイッチ操作に応じて、ＬＥＤ２０４は点灯又は点滅するので、その点灯または点滅の制御によってユーザに対して操作内容を報知する報知手段を備える。
【００２７】
例えば、第三スイッチＳＷ３への操作によって第二トレイ２０２に対するシートＰの搬送が中断されているときは、第三スイッチＳＷ３が備えるＬＥＤ２０４が点灯する。第一スイッチＳＷ１への操作によって第一トレイ２０１に対するシートＰの搬送が中断されているときは、第一スイッチＳＷ１が有するＬＥＤ２０４が点灯する。
【００２８】
したがって、トレイ操作スイッチ２２０の押下操作によって、画像形成システム１における動作を変更させたとき、後処理制御部２１０から画像形成制御部１１０に対して制御の要求に係る情報を通知されたこと、及びトレイ操作スイッチ２２０の操作の態様に応じて動作が行われている最中であることを、ユーザがＬＥＤ２０４を視認することで容易に把握できる。
【００２９】
続いて、通常制御モードにおいて、画像形成システム１の動作が休止中のときのトレイ操作スイッチ２２０に対する操作が行われたときの動作について説明する。画像形成システム１が休止中、すなわち、シートＰの搬送が行われていないときに、第三スイッチＳＷ３が押下されると、後処理制御部２１０から画像形成制御部１１０に対し、第二トレイ２０２へのシートＰの搬送を抑制するように、搬送抑制要求が送信される。
【００３０】
画像形成制御部１１０は、搬送抑制要求を受けた後、画像形成装置１００に対する印刷開始指示があっても、第二トレイ２０２への排出を伴うものの場合は、その画像形成処理を実行しないように制御する。このとき、印刷開始指示を保留しておいて、後に搬送抑制が解除されたときに実行するように制御してもよい。また、搬送抑制要求の後に印刷開始指示が生じても、画像形成制御部１１０は操作パネル１０９に向けて表示信号を送信し、操作パネル１０９において「搬送抑制状態であって印刷を開始できない状態」であることを報知する情報を表示させる。
【００３１】
なお、後処理制御部２１０は、搬送抑制要求を送信した後に、第二トレイ２０２を所定量下降させる。
【００３２】
同様に、画像形成システム１が休止中において、第一スイッチＳＷ１又は第二スイッチＳＷ２が押下されると、後処理制御部２１０から画像形成制御部１１０に対し、第一トレイ２０１へのシートＰの搬送を抑制するように、搬送抑制要求が送信される。そして、第一トレイ２０１を所定量下降させる。
【００３３】
また、システム休止中であって第二トレイ２０２への搬送抑制が要求された状態のときに第三スイッチＳＷ３を再押下すると、後処理制御部２１０は、第二トレイ２０２を上限位置まで上昇させた後に、後処理制御部２１０から画像形成装置１００に対して、搬送抑制の解除を要求する搬送抑制解除を送信する。これによって、画像形成制御部１１０は、ユーザから指示があり次第、シートＰの搬送を開始できる。なお、搬送抑制中に搬送開始を保留していたときは、搬送抑制解除を受けて搬送が開始される。
【００３４】
システム休止中であって第一トレイ２０１への搬送抑制が要求された状態のときに第一スイッチＳＷ１又は第二スイッチＳＷ２が再押下された場合は、第一トレイ２０１の上昇が完了したのちに、搬送を再開させる。
【００３５】
第三スイッチＳＷ３を押下したことで第二トレイ２０２が昇降している間は、第三スイッチＳＷ３が備えるＬＥＤ２０４を点滅させる。第二トレイ２０２が昇降動作を停止しているときであって搬送が抑制されているときには、第三スイッチＳＷ３が備えるＬＥＤ２０４は点灯している。このように、動作状態によって、操作されたスイッチのＬＥＤ２０４の状態を変化させることで、ユーザにおいて操作状態が視認しやすくなる。
【００３６】
なお、通常制御モードでシステム起動中において、第二スイッチＳＷ２を押下しても、第一トレイ２０１への搬送中断要求信号は送信されない。第一スイッチＳＷ１の押下によって第一トレイ２０１への搬送中断状態になっているときに、第二スイッチＳＷ２を押下したときは、第一トレイ２０１の昇降及びシートＰの排出抑制又は抑制解除が行われる。第一トレイ２０１は、配置される位置が高いので、搬送が中断されているときにユーザがシートＰを容易に取り出せるようにするためである。
【００３７】
シート処理装置２００が備える特定制御モードへの切り替えを行うための操作の態様、及び、特定制御モードにおける後処理制御部２１０による制御の内容については、後述する。
【００３８】
［画像形成システム１の制御系の構成］
次に、上記にて説明した動作及び後述する特定制御モードにおける動作を実行可能にする制御部について、図３及び図４を用いて説明する。図３は、画像形成システム１が備える制御部のハードウェア構成の模式図である。
【００３９】
図３に示すように、本実施形態に係る画像形成システム１が備える制御部（画像形成制御部１１０及び後処理制御部２１０）は、一般的なＰＣ（Ｐｅｒｓｏｎａｌ  Ｃｏｍｐｕｔｅｒ）等と同様の情報処理装置としての構成を含むものである。即ち、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス９０を介して接続されている。また、Ｉ／Ｆ５０にはＬＥＤ２０４、操作パネル１０９及び専用デバイス８０が接続されている。
【００４０】
ＣＰＵ１０は演算手段であり、画像形成装置１００全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーションプログラム等が格納される。
【００４１】
Ｉ／Ｆ５０は、バス９０と各種のハードウェアやネットワーク等を接続し制御する。ＬＥＤ２０４は、ユーザが画像形成システム１の制御モードを視認するための視覚的ユーザインタフェースである。操作パネル１０９は、タッチインターフェースを備え、ユーザが画像形成装置１００に動作条件などを入力するためのユーザインタフェースである。
【００４２】
専用デバイス８０は、シート処理装置２００、給シートユニット１０５、スキャナユニットとしての画像読取部１０２において専用の機能を実現するためのハードウェアである。
【００４３】
このようなハードウェア構成において、ＲＯＭ３０やＨＤＤ４０若しくはその他の方式による半導体記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係る画像形成システム１の機能を実現する機能ブロックが構成される。
【００４４】
また、図３に例示したハードウェア構成は、シート処理装置２００が備える後処理制御部２１０においても、ほぼ同様のハードウェア構成を備える。また、後処理制御部２１０の場合は、専用デバイス８０として、トレイ操作スイッチ２２０や、ステイプラ２０３などが含まれる。
【００４５】
［機能ブロック］
次に、本実施形態に係る画像形成システム１の機能構成について、図４を参照して説明する。図４においては、電気的接続を実線の矢印で示しており、シート若しくはシート束の流れを破線の矢印で示している。
【００４６】
図４に示すように、本実施形態に係る画像形成システム１は、画像形成装置１００が備えるコントローラとしての画像形成制御部１１０、プリントエンジン１２０、後処理制御部２１０、スキャナエンジン１３０、ＡＤＦ１０１、排紙トレイ７００、操作パネル１０９、ネットワークＩ／Ｆ９００を有する。また、画像形成制御部１１０は、主制御部１１１、エンジン制御部１１２、入出力制御部１１３、画像処理部１１４及び操作表示制御部１１５を有する。
【００４７】
プリントエンジン１２０は、例えば、光書込部１０３と作像部１０４と定着部１０６の動作を制御する画像形成部であり、給シートユニット１０５から搬送されてきたシートＰに対して画像形成出力を実行することにより画像を描画する。このプリントエンジン１２０により画像が描画された画像形成済みのシートＰは、シート処理装置２００に搬送され、若しくは、排紙トレイ７００に排出される。
【００４８】
後処理制御部２１０は、シート処理装置２００に備えられ、プリントエンジン１２０から搬送されてきた画像形成済みのシートＰに対して所定の後処理の実施を制御する。
【００４９】
ＡＤＦ１０１は、原稿読取部であるスキャナエンジン１３０に原稿を自動搬送する。スキャナエンジン１３０は、ＡＤＦ１０１に載置された原稿を画像読取部１０２によって読み取る処理を実行し、原稿から読み取られた信号に対して信号処理を実行して画像情報を生成する。ＡＤＦ１０１により自動搬送されてスキャナエンジン１３０により読み取られた原稿は、ＡＤＦ１０１の内蔵に設けられているトレイに排出される。
【００５０】
操作パネル１０９は、画像形成装置１００の状態を視覚的に表示する出力インタフェースであると共に、タッチパネルとしてユーザが画像形成装置１００及びシート処理装置２００に対して直接操作し若しくは情報を入力する際の入力インタフェースを構成する。
【００５１】
ネットワークＩ／Ｆ９００は、画像形成装置１００及びシート処理装置２００が通信ネットワークを介して情報通信を行うためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが主に用いられる。
【００５２】
画像形成制御部１１０は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによって構成される。
【００５３】
主制御部１１１は、画像形成制御部１１０に含まれる各部を制御する役割を担い、画像形成制御部１１０の各部に命令を与える。また、主制御部１１１は、入出力制御部１１３を制御し、ネットワークＩ／Ｆ９００及びネットワークを介して他の装置にアクセスする。エンジン制御部１１２は、プリントエンジン１２０、給シートユニット１０５、後処理制御部２１０、スキャナエンジン１３０等の駆動部を制御し若しくは駆動させる。入出力制御部１１３は、ネットワークＩ／Ｆ９００及びネットワークを介して入力される信号や命令を主制御部１１１に入力する。
【００５４】
画像処理部１１４は、主制御部１１１の制御に従い、入力された印刷ジョブに含まれる文書データ若しくは画像データに基づいて描画情報を生成する。この描画情報とは、ＣＭＹＫのビットマップデータ等のデータであり、画像形成部であるプリントエンジン１２０が画像形成動作において形成すべき画像を描画するための情報である。また、画像処理部１１４は、スキャナエンジン１３０から入力される撮像データを処理し、画像データを生成する。この画像データとは、スキャナ動作の結果物としてＲＡＭ２０に格納され若しくはネットワークＩ／Ｆ９００及びネットワークを介して他の機器に送信される情報である。操作表示制御部１１５は、操作パネル１０９に情報表示を行い若しくは操作パネル１０９を介して入力された情報を主制御部１１１に通知する。
【００５５】
［シート処理装置２００の制御系の機能ブロック］
次に、シート処理装置２００の制御系を構成する後処理制御部２１０の詳細な機能ブロックについて、図５を用いて説明する。図５に示す機能ブロックは、図３を用いて説明した画像形成装置１００のハードウェア資源と同等のハードウェア資源を利用して、シート処理装置２００の動作を制御する後処理制御プログラムを実行することで実現されるものである。
【００５６】
後処理制御部２１０は、スイッチ操作検知部２１１と、動作制御部２１２と、スイッチ表示制御部２１３と、搬送状態変更要求部２１４と、再印刷要求部２１５と、再印刷量指示部２１６と、状態検知部２１７と、を有する。
【００５７】
スイッチ操作検知部２１１は、トレイ操作スイッチ２２０が備える第一スイッチＳＷ１、第二スイッチＳＷ２、第三スイッチＳＷ３の操作の態様を検知する。例えば、個々のスイッチ（第一スイッチＳＷ１、第二スイッチＳＷ２、第三スイッチＳＷ３）が押下されたことを検知する。また、個々のスイッチ（第一スイッチＳＷ１、第二スイッチＳＷ２、第三スイッチＳＷ３）が連続して押下されているときは、その連続時間も検知する。また、第一スイッチＳＷ１、第二スイッチＳＷ２、第三スイッチＳＷ３の一部又は全部が組み合わせられて同時期に押下されたか否かも検知する。スイッチ操作検知部２１１は、第一スイッチＳＷ１、第二スイッチＳＷ２、第三スイッチＳＷ３の操作の態様としての操作信号を動作制御部２１２に通知する。
【００５８】
動作制御部２１２は、スイッチ操作検知部２１１から通知されるスイッチ操作検知部２１１の操作の態様に応じて、制御モードを切り替える。例えば、通常制御モード時において、スイッチ操作検知部２１１において検知されたトレイ操作スイッチ２２０の操作の態様が、同時期において、所定の連続時間を超えて押下される「特定操作」を示すものであれば、制御モードを特定制御モードに切り替える。ここで「所定の連続時間」とは、例えば、３秒の「長押し」である。すなわち、「特定操作」とは、トレイ操作スイッチ２２０の全スイッチを同時に長押しする操作をいう。
【００５９】
動作制御部２１２は、スイッチ操作検知部２１１から通知されるスイッチ操作検知部２１１の操作の態様に応じて、特定制御モード時に上記と同様の操作が行われたときは、制御モードを通常制御モードに切り替える。
【００６０】
また、動作制御部２１２は、制御モードの切り替えが可能であるか、不能状態であるかの判定（切替可否判定）も行う。動作制御部２１２は、状態検知部２１７から通知されるシート処理装置２００の状態に基づいて切替可否判定を行う。たとえば、状態検知部２１７が検知した画像形成システム１の動作状態がシステム起動中であって、シートＰの搬送中であるときは、通常制御モードから特定制御モードへの切替は不能となる。印刷ＪＯＢを実行中であり、特定制御モードにおいて実行可能となる特定動作の一つである「再印刷」が実行できないからである。
【００６１】
また、画像形成システム１がシステム中断中の場合も、通常制御モードから特定制御モードへの切替は不能になる。例えば、シートＰが搬送路において詰まることで生ずる「ジャム・エラー」、シートＰの供給不能（紙切れ）、ユーザが操作パネル１０９を操作して印刷ＪＯＢを強制的に中断させた、などの「システム中断中」においては制御モードの切切り替えは不能となる。
【００６２】
また、画像形成システム１のシステム停止中において、シート処理装置２００の筐体の一部が開放されているなど、通常制御モードであっても特定制御モードであっても画像形成システム１が正常に動作不能な状態のときは、制御モードの切り替えは不能となる。
【００６３】
したがって、動作制御部２１２は、状態検知部２１７が検知して通知してくる画像形成システム１の動作状態や、シート処理装置２００における装置の状態などに基づく、通常制御モードから特定制御モードへの切り替え可否の判定に応じて制御モードの切り替え処理を実行する。
【００６４】
スイッチ表示制御部２１３は、動作制御部２１２からの指示に応じて、第一スイッチＳＷ１、第二スイッチＳＷ２、第三スイッチＳＷ３のそれぞれのＬＥＤ２０４の点灯、点滅の状態を制御する。例えば、制御モードが通常制御モードから特定制御モードへ切り替えられたときは、第一スイッチＳＷ１、第二スイッチＳＷ２、第三スイッチＳＷ３のそれぞれのＬＥＤ２０４を点滅させる。ここで、ＬＥＤ２０４の点滅は、０．５秒周期とする。したがって、一回の点滅は点灯が０．５秒、消灯が０．５秒の組み合わせによって形成される。
【００６５】
なお、制御モードが特定制御モードから通常制御モードに切り替えられたときは、ＬＥＤ２０４の点灯状態は、元に戻される。
【００６６】
また、スイッチ表示制御部２１３は、動作制御部２１２において制御モードの切り替えが「不能」となったとき、それをユーザに報知するための特定の点灯パターンによってＬＥＤ２０４の点灯制御をする。また、上記にて説明したとおり、通常制御モードにおいても、特定のスイッチ（第一スイッチＳＷ１、第二スイッチＳＷ２、第三スイッチＳＷ３）の操作を受け付けられないこともある。そのような受付不能の操作が行われたスイッチが備えるＬＥＤ２０４については、２回の点滅を繰り返すように点滅制御が行われる。通常制御モードから特定制御モードへの切り替えが不能となったときは、第一スイッチＳＷ１、第二スイッチＳＷ２、第三スイッチＳＷ３のすべてのＬＥＤ２０４において２回の点滅を繰り返すように制御する。
【００６７】
搬送状態変更要求部２１４は、動作制御部２１２においてスイッチ操作検知部２１１が検知した操作の態様が、上述したような通常制御モード時における第一トレイ２０１又は第二トレイ２０２への搬送中断要求や、搬送抑制要求、又は搬送再開要求や搬送抑制解除であれば、これらを画像形成制御部１１０へと通知する。通知された画像形成制御部１１０は、通知内容に即して画像形成装置１００の動作を制御する。
【００６８】
再印刷要求部２１５は、操作の態様が特定制御モードへの切り替えであって、動作制御部２１２が制御モードを特定制御モードに切り替えたときは、画像形成制御部１１０に対して、特定動作としての「再印刷」を要求する。「特定動作としての再印刷」とは、特定制御モードに切り替えられる直前において、画像形成装置１００が実行した印刷処理と同じ処理を再度実行することである。すなわち、通常制御モードにおいて画像形成装置１００が印刷処理を行い、第一トレイ２０１又は第二トレイ２０２に排出されたときに、特定制御モードへの切り替え操作が正常におこなわれたときは、シート処理装置２００から画像形成装置１００に対して再印刷の要求を行うことができる。
【００６９】
再印刷量指示部２１６は、動作制御部２１２において制御モードが特定制御モードに切り替えられた後に、スイッチ操作検知部２１１がトレイ操作スイッチ２２０の操作を複数回検知したときに、その操作回数に基づいて、再印刷要求部２１５に対して再印刷の要求回数を指示する。例えば、スイッチ操作検知部２１１が、特定制御モード時において、第一スイッチＳＷ１の押下を一回検出したときには、再印刷処理を一回増加させ、第二スイッチＳＷ２の押下を一回検出したときは再印刷処理を一回減少させる。このように特定制御モードに移行後の所定の経過時間内においてトレイ操作スイッチ２２０における所定の操作の態様が検知されたときは、再印刷処理の回数を任意に指示することができる。
【００７０】
また、第一スイッチＳＷ１の押下を「３秒以上の長押し」にすることで、１０回単位で、再印刷処理の回数を増加させるようにしてもよい。
【００７１】
再印刷量指示部２１６から再印刷処理の回数が通知された再印刷要求部２１５は、その旨を画像形成制御部１１０に通知する。画像形成制御部１１０では、通知された再印刷処理の要求及び印刷処理回数に基づいて、印刷処理を実行する。この場合、
スイッチ表示制御部２１３を介してトレイ操作スイッチ２２０が備える各ＬＥＤ２０４に対して、再印刷処理の回数を視認可能な点滅パターンを指示してもよい。また、画像形成制御部１１０は、操作パネル１０９において再印刷処理を実行していることを報知する情報を表示させ、また、再印刷処理の回数を表示させてもよい。
【００７２】
図６に示すパターンチャートは、特定制御モードに移行したことを、スイッチ表示制御部２１３がトレイ操作スイッチ２２０の各ＬＥＤ２０４を介して報知するときの点滅パターンの例、及び再印刷量指示部２１６において再印刷処理の回数が指定されたときの点滅パターンの例である。
【００７３】
まず、特定制御モードに移行していることを報知するために、第一スイッチＳＷ１、第二スイッチＳＷ２、第三スイッチＳＷ３がそれぞれ備えるＬＥＤ２０４を１秒間（１ｓ）点灯させる。その後、３秒間（３ｓ）消灯する。その後、部数を報知するように、スイッチ表示制御部２１３がトレイ操作スイッチ２２０の各ＬＥＤ２０４の点滅パターンを制御する。
【００７４】
例えば、図６に例示したパターンチャートは、再印刷処理の回数を「１３７」とした場合、すなわち、１３７部の再印刷処理の指示をしたときの点滅パターンである。この例では、第一スイッチＳＷ１の点滅は「ー」の位の数字を表している。また、第二スイッチＳＷ２の点滅は「十」の位の数字を表している。そして、第三スイッチＳＷ３の点滅は「百」の位の数字を表している。
【００７５】
点灯時間によって表す数が異なり、長時間点灯（例えば、２ｓ）であれば「５回（５部）」を表す。また、短時間点灯（例えば、０．５ｓ）であれば「１回（１部）」を表す。そして、回数（部数）を知らせる間の消灯時間は一律、例えば、０．５ｓとする。このような規定によって制御される点滅パターン（長時間周期の点滅と短時間周期の点滅の組み合わせ）を、例えば、図７に例示した表のように設定する。これによって、「１から９」までの値を適宜表現することができる。
【００７６】
図６に戻る。「一の位」の回数（部数）の報知が終われば、３秒間の間、すべてのＬＥＤ２０４を消灯させてインターバルを確保する。これに続けて、「十の位」の回数（部数）を報知し、再度３秒のインターバルを確保し、「百の位」の回数（部数）を報知すする。そして、再印刷処理の回数の報知が終了したときは、全てのＬＥＤ２０４を１秒間点灯させる。この全点灯によって、ユーザに対して、再印刷処理の回数の報知が終了したことを知らせることができる。
【００７７】
状態検知部２１７は、後処理制御部２１０が備えるインタフェースを介して、画像形成システム１、画像形成装置１００及びシート処理装置２００の動作状態を検知し、動作制御部２１２に通知する。例えば、画像形成システム１の動作状態がシステム起動中であるか、システム休止中であるか、などを検知する。また、シート処理装置２００の筐体の一部（カバー）が開放されているか否かなども検知する。なお、動作制御部２１２は、スイッチ操作検知部２１１からの通知のみに基づくのではなく、状態検知部２１７からの通知と組み合わせて制御モードの切り替えを行ってもよい。
【００７８】
［特定処理の流れの例］
次に、特定制御モードにおける特定動作としての「再印刷処理」の流れについて、図８のフローチャートを用いて説明する。まず、通常制御モード時に、トレイ操作スイッチ２２０の全スイッチにおいて所定の操作の態様としての「３秒長押し」が検知されたとき、動作制御部２１２が特定制御モードへ切り替える。これによって「再印刷モード」となる。
【００７９】
続いて、スイッチ表示制御部２１３が、「再印刷モード」に移行したことをユーザに報知するためにスイッチ表示制御部２１３が、全スイッチのＬＥＤ２０４を点滅させる（Ｓ８０１）。
【００８０】
その後、第三スイッチＳＷ３が押下されたか否かの判定が行われる（Ｓ８０２）。第三スイッチＳＷ３の押下が検知されるまで処理はループする（Ｓ８０２：ＮＯ）。第三スイッチＳＷ３の押下が検知されたときは（Ｓ８０２：ＹＥＳ）、第三スイッチＳＷ３が備えるＬＥＤ２０４を点灯させる（Ｓ８０３）。そして、第三スイッチＳＷ３が３秒以上押下されているか否かを判定する（Ｓ８０４）。ここで、第三スイッチＳＷ３の押下が３秒未満のときは（Ｓ８０４：ＮＯ）、処理をＳ８０１に戻す。第三スイッチＳＷ３の押下が３秒以上のときは（Ｓ８０４：ＹＥＳ）、再印刷要求部２１５から画像形成制御部１１０に対して再印刷処理の要求を示す信号が送信される（Ｓ８０５）。再印刷処理が終了したときは、動作制御部２１２は制御モードを通常制御モードに切り替える（Ｓ８０６）。
【００８１】
以上の流れにおいて、後処理制御部２１０から画像形成制御部１１０に対して再印刷処理の要求が送信されたときは、直前の印刷ＪＯＢが再度実行される。また、画像形成装置１００の画像形成制御部１１０が備える記憶機能において、直前の印刷ＪＯＢの情報を含む数ＪＯＢ前までの情報は記憶されているものとする。なお、「印刷ＪＯＢの情報」とは、例えば、印刷処理に用いられるデータ（原稿としてのデータ）、媒体としてのシートＰの種類、サイズ、厚さなどの媒体属性情報、印刷枚数、後処理の内容（仕分け処理、綴じ処理の有無）等である。これにより、直前の印刷ＪＯＢの再印刷を実現する。
【００８２】
なお、本発明は上述した各実施形態に限定されるものではなく、その技術的要旨を逸脱しない範囲で種々の変形が可能であり、特許請求の範囲に記載された技術思想に含まれる技術的事項の全てが本発明の対象となる。上記実施形態は、好適な例を示したものであるが、当業者であれば、開示した内容から様々な変形例を実現することが可能である。そのような変形例も、特許請求の範囲に記載された技術的範囲に含まれる。
【符号の説明】
【００８３】
１      ：画像形成システム
１０    ：ＣＰＵ
２０    ：ＲＡＭ
３０    ：ＲＯＭ
４０    ：ＨＤＤ
５０    ：Ｉ／Ｆ
８０    ：専用デバイス
１００  ：画像形成装置
１０２  ：画像読取部
１０３  ：光書込部
１０４  ：作像部
１０５  ：給シートユニット
１０６  ：定着部
１０７  ：搬送路
１０９  ：操作パネル
１１０  ：画像形成制御部
１１１  ：主制御部
１１２  ：エンジン制御部
１１３  ：入出力制御部
１１４  ：画像処理部
１１５  ：操作表示制御部
１２０  ：プリントエンジン
１３０  ：スキャナエンジン
２００  ：シート処理装置
２０１  ：第一トレイ
２０２  ：第二トレイ
２０３  ：ステイプラ
２０４  ：ＬＥＤ
２１０  ：後処理制御部
２１１  ：スイッチ操作検知部
２１２  ：動作制御部
２１３  ：スイッチ表示制御部
２１４  ：搬送状態変更要求部
２１５  ：再印刷要求部
２１６  ：再印刷量指示部
２１７  ：状態検知部
２２０  ：トレイ操作スイッチ
７００  ：排紙トレイ
９００  ：ネットワークＩ／Ｆ
【先行技術文献】
【特許文献】
【００８４】
【特許文献１】特開２０１９−０３１０５２号公報
【図１】
2022001420.tif 000003
【図２】
2022001420.tif 000004
【図３】
2022001420.tif 000005
【図４】
2022001420.tif 000006
【図５】
2022001420.tif 000007
【図６】
2022001420.tif 000008
【図７】
2022001420.tif 000009
【図８】
2022001420.tif 000010